(57)【要約】【課題】歯の剛性強度が高く、折損寿命が長いローリングツールを提供。【解決手段】歯すじ方向にテーパ歯筋１５を施した多数の歯８を外周上に設けたローリングツールにおいて、テーパ歯筋１５先端の小端面２１の歯丈ｈとテーパ歯筋１４内端の食いつき部１６の歯厚ｗとをほぼ同じとし、かつ食いつき部１６の歯丈ｈと小端面の歯丈ｈ’とをほぼ同じとしたことを特徴とするローリングツール。食いつき部１６の歯厚ｗと小端面２１の歯丈ｈ’との比率を１：０．８〜１．２の範囲とし、かつ食いつき部１６の歯底と小端面２１の歯底とを結ぶ線２０とツール軸心１８とのなす角θの絶対値を６°以内としてもよい。【選択図】図１
2005152940.tif 000002
【特許請求の範囲】
【請求項１】
歯すじ方向にテーパ歯筋を施した多数の歯を外周上に設け、前記歯を被加工内歯歯車と噛みあわせて回転させ、前記テーパ歯筋を施した多数の歯によって、自動車用動力伝達装置の内歯スプラインの歯面に、走行中のギヤ抜け防止のためのテーパ歯すじを転造塑性加工するローリングツールにおいて、前記テーパ歯筋先端の小端面の歯丈と前記テーパ歯筋内端の食いつき部の歯厚とをほぼ同じとし、かつ前記食いつき部の歯丈と前記小端面の歯丈とをほぼ同じとしたことを特徴とするローリングツール。
【請求項２】
前記食いつき部の歯厚と前記小端面の歯丈との比率を１：０．８〜１．２の範囲とし、かつ前記食いつき部の歯底と前記小端面の歯底とを結ぶ線とツール軸心とのなす角θの絶対値を６°以内としたことを特徴とする請求項１記載のローリングツール。
【請求項３】
前記ローリングツールの歯元をワイヤカット加工することにより、歯元形状が互いに隣接するフランク面と連続する滑らかな楕円面としたことを特徴とする請求項１又は請求項２記載のローリングツール。
【発明の詳細な説明】
【技術分野】
【０００１】
本発明は、歯すじ方向にテーパ歯筋を施した多数の歯を外周上に設け、前記歯を被加工内歯歯車と噛みあわせて回転させ、前記テーパ歯筋を施した多数の歯によって、自動車用動力伝達装置の内歯スプラインの歯面に、走行中のギヤ抜け防止のためのテーパ歯すじを転造塑性加工するローリングツールの高強度歯元形状に関する。
【背景技術】
【０００２】
従来の自動車のマニアルトランスミッション装置では、走行中のギヤ抜け防止のため、外歯スプライン（外歯歯車）と内歯スプライン（内歯歯車）とはテーパ歯筋嵌合となっており、図５に示すように被加工物である内歯スプライン２は図示しない外歯スプライン（外歯歯車）と歯すじ１２で嵌合する。歯すじ１２は走行中のギヤ抜け防止のためのテーパになっている。図６にローリングツール（１歯のみ示す）の面取り部を被加工物である内歯スプラインのフランク面に押し当て転造加工する状態の要部断面図を示す。図６に示すように、このテーパ歯すじ１２は、ローリングツール１のテーパ歯筋１５の後端の食いつき部１６を内歯スプライン２のフランク面１７（予めホブ又はピニオンカッタで歯切りしたり円盤砥石で研削して形成）に押し当て転造塑性加工によって部分的に形成した。特許文献１にかかる従来の外スプライン形のローリングツールを開示する。
【特許文献１】実用新案登録第２５４７９９９号公報
【発明の開示】
【発明が解決しようとする課題】
【０００３】
しかし、従来のローリングツール（特許文献１のローリングツールでも同じ）の歯筋１５（図６）をテーパ状にするには、ホブ又はピニオンカッタでローリングツールに対し斜め方向に切削するか、図７に示すようにローリングツールに対し斜め方向に円盤砥石９を使用して研削した。このため図８に示すように従来のローリングツールの歯底径はテーパ歯筋１５先端の小端部２１に近ずくに従い小さくなり（破線６：Ｂ−Ｂ断面）ローリングツールの歯丈ｈ’が高くなり、歯の強度が弱くなってしまう。図８で示すような従来のローリングツールの食いつき部（実線５）の歯厚ｗと小端面の歯丈ｈ’との比率は１：１．３〜１．９位であった。さらに従来のローリングツール（特許文献１のローリングツールでも同じ）の歯筋１５をテーパ状にする円盤砥石９を使用して研削するときは、ローリングツールの歯元形状に段１１（実線５）がついて歯の強度が弱くなる。このため従来のローリングツールの折損寿命が短くなるという課題があった。
【０００４】
本発明の課題は、歯の剛性強度が高く、折損寿命が長いローリングツールを提供することにある。
【課題を解決するための手段】
【０００５】
このため本発明は、歯すじ方向にテーパ歯筋を施した多数の歯を外周上に設け、前記歯を被加工内歯歯車と噛みあわせて回転させ、前記テーパ歯筋を施した多数の歯によって、自動車用動力伝達装置の内歯スプラインの歯面に、走行中のギヤ抜け防止のためのテーパ歯すじを転造塑性加工するローリングツールにおいて、前記テーパ歯筋先端の小端面の歯丈と前記テーパ歯筋内端の食いつき部の歯厚とをほぼ同じとし、かつ前記食いつき部の歯丈と前記小端面の歯丈とをほぼ同じとしたことを特徴とするローリングツールを提供することによって上記した従来製品の課題を解決した。
【発明の効果】
【０００６】
本発明のローリングツールはテーパ歯筋先端の小端面の歯丈ｈ’とテーパ歯筋内端の食いつき部の歯厚ｗとをほぼ同じとし、従来のローリングツールの食いつき部の歯厚ｗと小端面の歯丈ｈ’との比率が１：１．３〜１．９位であったのに比べ、大幅に小端面の歯丈ｈ’を低く抑え、歯の剛性強度を高くし、かつ食いつき部の歯丈ｈと小端面の歯丈ｈ’とをほぼ同じとしたことにより、全体的に歯の剛性強度の弱い部分をなくし、折損寿命が長いローリングツールを提供するものとなった。
【０００７】
好ましくは、前記食いつき部の歯厚と前記小端面の歯丈との比率を１：０．８〜１．２の範囲とし、かつ前記食いつき部の歯底と前記小端面の歯底とを結ぶ線とツール軸心とのなす角θの絶対値を６°以内としてもよい。
より好ましくは、前記ローリングツールの歯元をワイヤカット加工し、歯元形状が互いに隣接するフランク面と連続する滑らかな楕円面としすることにより、歯の剛性強度を著しく高くし、より折損寿命が長いローリングツールを提供するものとなった。
【発明を実施するための最良の形態】
【０００８】
本発明を実施するための最良の形態のローリングツールの歯元形状につき図１〜図３を参照して説明する。図１は本発明を実施するための最良の形態のローリングツールの歯元形状を示す部分拡大輪郭図で、実線３は食いつき部断面７の輪郭線（Ａ−Ａ断面）を示し、破線４は小端面２１の輪郭線（Ｂ−Ｂ断面）を示し、図２（ａ）は図１のローリングツールの概略全体斜視図、（ｂ）は（ａ）のローリングツールの１歯の部分側面断面図、図３は図１のローリングツールの歯元をワイヤでワイヤカット加工で形成する方法を示す概略要部斜視図である。
【０００９】
本発明を実施するための最良の形態のローリングツールは、歯すじ方向にテーパ歯筋１５を施した多数の歯８を外周上に設け、図６に示すように、歯８を被加工内歯歯車２と噛みあわせて回転させ、テーパ歯筋１５を施した多数の歯８によって、自動車用動力伝達装置の内歯スプライン２の歯面に、走行中のギヤ抜け防止のためのテーパ歯すじ１２を転造塑性加工するローリングツール１において、テーパ歯筋１５先端の小端面２１の歯丈ｈとテーパ歯筋１４内端の食いつき部１６の歯厚ｗとをほぼ同じとし、食いつき部１６の歯丈ｈと小端面の歯丈ｈ’とをほぼ同じとしたことを特徴とするローリングツールである。
【００１０】
図１のものの代わりに好ましくは、食いつき部の歯厚ｗと小端面の歯丈ｈ’との比率を１：０．８〜１．２の範囲とし、かつ図２に示すように、食いつき部の歯底と小端面の歯底とを結ぶ線２０とツール軸心１８とのなす角θの絶対値を６°以内としてもよい。より好ましくは、図３に示すように、ローリングツール１の歯元をワイヤ１０を使用したワイヤカット加工することにより、歯元形状が互いに隣接するフランク面と連続する滑らかな楕円面１９としすることにより、歯の剛性強度を著しく高くし、より折損寿命が長いローリングツールを提供するものとなった。
【実施例１】
【００１１】
図１に示す本発明のローリングツールと図８に示す従来品ローリングツールとを使用して被加工物のテスト転造を行った。それぞれワーク諸元：m2.1×PA20Ｄ°×Ng41, つぶし量：0.45, ローリングツール歯数：２５であった。テスト結果を図４に示す。図８に示す従来品ローリングツールの破線６（Ｂ−Ｂ断面）は小端面２１の歯形形状を示しており、ホブで歯切りした後に研削仕上げした。小端面２１の歯丈ｈ’と食いつき部１６の歯厚ｗとの比率を  １．８：１  とし、破線６の小端面２１の歯形は食いつき部１６の断面５（Ａ−Ａ断面）に比べ歯丈ｈ’が高くなっており歯の強度が弱くなっており、食いつき部１６の歯底と小端面２１の歯底とを結ぶ線２０とツール軸心１８とのなす角θを１０°とし、断面５（Ａ−Ａ断面）の食いつき部１６の歯元には円盤砥石９（図７）によるに段１１がついて歯の強度が弱くなっている。このため図８に示す従来品ローリングツールの破損寿命は被加工物の加工数は５００個であった。これに対し図１に示す本発明のローリングツールは、破線４（Ｂ−Ｂ断面）は小端断面１４の歯形形状を示し、歯元形状は図３に示すワイヤ１０でワイヤカット加工することで段がなく、大きな楕円形状１９の滑らかな形状となっている。小端面２１の歯丈ｈと食いつき部１６の歯厚ｗとをほぼ同じとし、かつ食いつき部１６の歯丈ｈと前記小端面の歯丈ｈ’の比率をほぼ同じとし全体に高剛性の歯形形状となっている。図１に示す本発明のローリングツールの破損寿命は被加工物の加工数は４０００個以上で、図８に示す従来品ローリングツールに比べ８倍以上となった。
〔本発明の最良の実施形態の効果〕
【００１２】
本発明のローリングツールはテーパ歯筋先端の小端面の歯丈ｈ’とテーパ歯筋内端の食いつき部の歯厚ｗとをほぼ同じとし、従来のローリングツールの食いつき部の歯厚ｗと先端小端面の歯丈ｈ’との比率が１：１．３〜１．９位であったのに比べ、大幅に小端面の歯丈ｈ’を低く抑え、歯の剛性強度を高くし、かつ食いつき部の歯丈ｈと小端面の歯丈ｈ’とをほぼ同じとしたことにより、全体的に歯の剛性強度の弱い部分をなくし、折損寿命が長いローリングツールを提供するものとなった。
【００１３】
好ましくは、前記食いつき部の歯厚と前記小端面の歯丈との比率を１：０．８〜１．２の範囲とし、かつ前記食いつき部の歯底と前記小端面の歯底とを結ぶ線とツール軸心とのなす角θの絶対値を６°以内としてもよい。
より好ましくは、前記ローリングツールの歯元をワイヤカット加工し、歯元形状が互いに隣接するフランク面と連続する滑らかな楕円面としすることにより、歯の剛性強度を著しく高くし、より折損寿命が長いローリングツールを提供するものとなった。
【図面の簡単な説明】
【００１４】
【図１】本発明を実施するための最良の形態のローリングツールの歯元形状を示す部分拡大輪郭図である。
【図２】（ａ）は図１のローリングツールの概略全体斜視図、（ｂ）は（ａ）のローリングツールの１歯の部分側面断面図である。
【図３】図１のローリングツールの歯元をワイヤでワイヤカット加工で形成する方法を示す概略要部斜視図である。
【図４】図１に示す本発明のローリングツールと、図８に示す従来品ローリングツールと、を使用して被加工物のテスト転造結果を示すグラフ。
【図５】被加工物である内歯スプラインの要部斜視図。
【図６】ローリングツール（１歯のみ示す）のテーパ歯筋を被加工物である内歯スプラインのフランク面に押し当て転造塑性加工する状態の要部断面図を示す。
【図７】従来のローリングツールを円盤砥石を使用して研削する要部斜視図。
【図８】従来品ローリングツール歯元形状を示す部分拡大輪郭図である。
【符号の説明】
【００１５】
１：ローリングツール
８：歯
１０：ワイヤカット加工のワイヤ
１５：テーパ歯筋
１６：食いつき部
２１：小端面
ｈ：食いつき部１６の歯丈
ｈ’：小端面２１の歯丈
θ：食いつき部の歯底と小端面の歯底とを結ぶ線とツール軸心とのなす角
ｗ：食いつき部の歯厚
【図１】
2005152940.tif 000003
【図２】
2005152940.tif 000004
【図３】
2005152940.tif 000005
【図４】
2005152940.tif 000006
【図５】
2005152940.tif 000007
【図６】
2005152940.tif 000008
【図７】
2005152940.tif 000009
【図８】
2005152940.tif 000010